(57)【特許請求の範囲】
【請求項１】
下方が開放された外部ケースに対して棚部を格納位置に上昇及び物品取出し・収納位置に下降自在に設け、外部ケース側に昇降索を巻き取り及び繰り出す巻き取りドラムを備えた昇降手段を取付け、昇降索を棚部に連結した昇降棚装置であって、棚部に上下に対向する上片と下片とを有したブラケットを固定し、ブラケットの上下片の間に亙るようにねじ具を上下に移動しない状態で回転自在に保持し、昇降索の先端部を固定した棒状体にねじ孔を形成し、ねじ孔にねじ具をねじ込んで棒状体をブラケットの上下片の間に配置したことを特徴とする昇降棚装置。
【請求項２】
上記棒状体の長手方向の中央部に昇降索の先端部を固定し、この棒状体の長手方向両端部にねじ孔をそれぞれ穿孔し、ブラケットの上下片の間に亙るように一対のねじ具を上下に移動しない状態で回転自在に保持し、各ねじ具を対応する各ねじ孔にねじ込んでブラケットの上下片の間に棒状体を配置したことを特徴とする請求項１記載の昇降棚装置。
【請求項３】
下方が開放された外部ケースに対して棚部を格納位置に上昇及び物品取出し・収納位置に下降自在に設け、外部ケース側に昇降索を巻き取り及び繰り出す巻き取りドラムを備えた昇降手段を取付け、昇降索を棚部に連結した昇降棚装置であって、棚部に上下に対向する上片と下片とを有したブラケットを固定し、ブラケットの上下片の間に亙るようにねじ具を上下に移動しない状態で回転自在に保持し、昇降索の先端部を固定した板状体にねじ孔を形成し、ねじ孔にねじ具をねじ込んで板状体をブラケットの上下片の間に配置したことを特徴とする昇降棚装置。
【請求項４】
上記板状体にベルトで構成した昇降索の先端を固定し、上記ベルトのベルト面の幅方向中央部を通って上記ベルト面に対して直交する方向にあたる板状体の所定位置にねじ孔を１つ上下に貫通し、１本のねじ具をブラケットの上下片の間に亙るように上下に移動しない状態で回転自在に保持し、ねじ孔にねじ具をねじ込んで板状体をブラケットの上下片の間に配置したことを特徴とする請求項３記載の昇降棚装置。
【請求項５】
上記ねじ具の頭部をブラケットの下片の下方に位置させたことを特徴とする請求項４記載の昇降棚装置。
【発明の詳細な説明】
【０００１】
【発明の属する技術分野】
本発明は、主として、食器乾燥器として使用されている昇降棚装置に関し、詳しくは、外部ケースに棚部を吊り下げている昇降索の長さを容易に調整して棚部を所定の位置に正確に組み込むことことができるようにしようとする技術に係るものである。
【０００２】
【従来の技術】
従来、下方が開放された外部ケースに対して棚部を収納乾燥位置に上昇及び物品取出し・収納位置に下降自在に設け、外部ケース側に昇降索を巻き取り及び繰り出す昇降手段を設けた昇降棚装置においては、棚部を吊る左右の昇降索（ベルトやワイヤー等）の長さが異なると棚部に傾きが生じるものである。
【０００３】
そこで、従来はベルトやワイヤーを巻き取るドラムやモータを備えてブロック化された昇降手段を外部ケース内において左右に移動させて左右のベルトの長さが同じになるように調整していた。
【０００４】
【発明が解決しようとする課題】
ところで、棚部を吊した後、ブロック化した昇降手段を左右に移動させて左右のベルトの長さを調整する組立作業は困難となるものである。又、据え付け現場で長さが異なっていた場合の調整は更に困難となるものである。
【０００５】
本発明はこのような問題に鑑みてなされたものであり、外部ケースに棚部を吊り下げている昇降索の長さを容易に調整して棚部を所定の位置に正確に組み込むことができる昇降棚装置を提供することを課題とするものである。
【０００６】
【課題を解決するための手段】
請求項１の昇降棚装置にあっては、下方が開放された外部ケース１に対して棚部２を格納位置に上昇及び物品取出し・収納位置に下降自在に設け、外部ケース１側に昇降索３を巻き取り及び繰り出す巻き取りドラム１１を備えた昇降手段４を取付け、昇降索３を棚部２に連結した昇降棚装置であって、棚部２に上下に対向する上片３２と下片３３とを有したブラケット５を固定し、ブラケット５の上下片３２，３３の間に亙るようにねじ具９を上下に移動しない状態で回転自在に保持し、昇降索３の先端部を固定した棒状体７にねじ孔８を形成し、ねじ孔８にねじ具９をねじ込んで棒状体７をブラケット５の上下片３２，３３の間に配置したことを特徴とする。このような構成によれば、棚部２側で昇降索３の長さ調整をおこなうことができ、従来のように外部ケース１側の昇降手段４の位置を変更しなくてもよく、昇降索３の長さの変更を簡単におこなうことができる。また、ねじ具９の回転によって棒状体７を昇降させて昇降索３の長さを調整することができ、昇降索３の長さの調整を、一層、容易におこなうことができる。
【０００７】
請求項２の昇降棚装置にあっては、請求項１において、上記棒状体７の長手方向の中央部に昇降索３の先端部を固定し、この棒状体７の長手方向両端部にねじ孔８，８をそれぞれ穿孔し、ブラケット５の上下片３２，３３の間に亙るように一対のねじ具９，９を上下に移動しない状態で回転自在に保持し、各ねじ具９，９を対応する各ねじ孔８，８にねじ込んでブラケット５の上下片３２，３３の間に棒状体７を配置したことを特徴とするものである。このような構成によれば、棒状体７の長手方向両端部で昇降索３の長さを調整することができる。
【０００８】
請求項３の昇降棚装置にあっては、下方が開放された外部ケース１に対して棚部２を格納位置に上昇及び物品取出し・収納位置に下降自在に設け、外部ケース１側に昇降索３を巻き取り及び繰り出す巻き取りドラム１１を備えた昇降手段４を取付け、昇降索３を棚部に連結した昇降棚装置であって、棚部２に上下に対向する上片３２と下片３３とを有したブラケット５を固定し、ブラケット５の上下片３２，３３の間に亙るようにねじ具９を上下に移動しない状態で回転自在に保持し、昇降索３の先端部を固定した板状体５０にねじ孔５１を形成し、ねじ孔５１にねじ具９をねじ込んで板状体５０をブラケット５の上下片３２，３３の間に配置したことを特徴とするものである。このような構成によれば、棚部２に取付けたブラケット５において昇降索３の長さ調整をおこなうことができ、従来のように外部ケース１側の昇降手段４の位置を変更しなくてもよく、昇降索３の長さの変更を簡単におこなうことができる。また、ねじ具９の回転によって板状体５０を昇降させて昇降索３の長さを調整することができ、昇降索３の長さの調整を、一層、容易におこなうことができる。
【０００９】
請求項４の昇降棚装置にあっては、請求項３において、上記板状体５０にベルト２７で構成した昇降索３の先端を固定し、上記ベルト２７のベルト面２７ａの幅方向中央部を通って上記ベルト面２７ａに対して直交する方向にあたる板状体５０の所定位置にねじ孔５１を１つ上下に貫通し、１本のねじ具９をブラケット５の上下片３２，３３の間に亙るように上下に移動しない状態で回転自在に保持し、ねじ孔５１にねじ具９をねじ込んで板状体５０をブラケット５の上下片３２，３３の間に配置したことを特徴とするものである。このような構成によれば、１本のねじ具９を板状体５０の上記所定位置に穿設したねじ孔５１に螺合させて板状体５０をブラケット５に保持させても、上記板状体５０をその板状体５０に固定したベルト２７のベルト面２７ａの幅方向Ｃにおいてバランスよくブラケット５に昇降自在に支持させることができ、棚部２を吊持するベルト２７はベルト面２７ａの幅方向Ｃにおいてたるむことなくベルト２７の断面に亘って均一に張力を働かせて棚部２の重量を支えることができて、ベルト２７による棚部２の吊持の安定を図ることができるものであって、また、ベルト２７の長さ調節を行う際にはねじ具９を回動させてブラケット５に対する板状体５０の上下位置を決めることで行われるものであるが、上述したようにブラケット５に対する板状体５０の上下位置決めは、ベルト２７のベルト面２７ａの幅方向Ｃへのたるみを形成させたりする支障なく１本のねじ具９の回動によって行うことができ、ブラケット５に対する板状体５０の上下位置決め、つまり、昇降索３としてのベルト２７の長さの変更を、更に一層容易に行うことができるものである。
【００１０】
請求項５の昇降棚装置にあっては、請求項４において、上記ねじ具９の頭部をブラケット５の下片３３の下方に位置させたことを特徴とするものである。このような構成によれば、ねじ具９の回動を下方からの操作で行えるのであって、天袋等に設置されることの多い昇降棚装置Ａの設置後にベルト２７の長さ調整、つまり、棚部２の傾き調整を行い易くしているものである。
【００１１】
【発明の実施の形態】
以下、本発明の実施の形態を説明する。図１は概略正断面図である。図２（ａ）は概略側面図、同図（ｂ）は概略平面図である。図３は全体概略正面図である。図４及び図５は側断面図である。図６は横断面図である。
【００１２】
昇降棚装置Ａは食器乾燥装置であり、天袋の一部を構成するもので、例えば、調理部と食堂とを仕切る天袋の一部として設置され、その下方にはカウンター(図示せず)が配設されている。以下、詳述する。
【００１３】
外部ケース１は下方が開放された箱型に形成され、開くことができない擬似扉２５を備え、このような外部ケース１の内部上部にはファン１７とヒータ１８を備えた温風供給部１９が設置され、更に、滑車２０と巻き取りドラム１１と駆動モータ１２を備えた昇降機構部１３が設置され、カバーにて囲繞されて湿気等が入らないように気密が保たれている。カバーには温風吹出し口を形成している。ところで、ファン１７はヒータ１８とは独立して駆動できるようになっていて、ヒータ１８を駆動させる温風供給、又は、ヒータ１８を停止した送（冷）風供給を可能にしていて、食器の温風乾燥、又は送（冷）風による乾燥及び冷却を図るようにしている。このような切換え操作は、操作盤における操作によっておこなわれるようにしている。
【００１４】
昇降手段４である昇降機構部１３からの一対の昇降索３であるベルト２７，２７に棚部２を係着していて、駆動モータ１２によって棚部２を昇降することができるようにしている。
【００１５】
棚部２は天板と水受け２６との間に、例えば、カラー塗装して錆び止めを図った金属線材１５を複数本架設して、略かご状にしたものであり、金属線材１５，１５間に皿を挿入して保持したり、又、ちゃわんのような容器状の食器を内部に収容できるようにしている。
【００１６】
外部ケース１の側板２１側に沿って吸気ダクト２２が付設され、吸気口２３が外部ケース１の下端に形成されている。吸気口２３には吸気フィルターが着脱自在に取付けられている。
【００１７】
棚部２の水受け２６はパン状に形成され、ビスにて止められ、ビスを外すことで取外すことができるようにしている。水受け２６には水勾配が形成され、水勾配の最も低い部分に排水口３１を形成している。又、排気口２８を設けて排気するようにしている。
【００１８】
図１に示すように、棚部２の両側板２１、２１の上端部に、断面コ字状のブラケット５をビス２９にて取付けてある。ブラケット５の上下片３２、３３にはねじ具９としてボルトで構成した調整ねじ３４、３４が上下に移動しないで回転自在にのみ取付けられ、上記調整ねじ３４は上記ブラケット５の上下片３２、３３の間に亘って配置されている。調整ねじ３４、３４はベルト２７の先端部を固定した棒状体７のねじ孔８、８にねじ込まれている。
【００１９】
しかして、調整ねじ３４、３４を回転させることで、棒状体７を昇降させてベルト２７の長さ調整をおこなうことができるようにしている。このように、棚部２に取付けたブラケット５側においてベルト２７の長さ調整をする構成を長さ調整手段６と総称する。このように、長さ調整手段６において昇降索３の長さ調整をおこなうことができ、従来のように外部ケース１側の昇降手段４の位置を変更しなくてもよく、昇降索３の長さの変更を簡単におこなうことができるものである。
【００２０】
図７及び図８は参考例である。本参考例の基本構成は上記実施の形態と共通であり、共通する部分には同一の符号を付して説明は省略する。
【００２１】
本参考例の長さ調整手段６は、ブラケット５に昇降索３の先端部を固定するための支持軸３５を上下に長い長孔３６において上下自在及び回転自在に支持し、支持軸３５に爪車３０を一体に設け、爪車３０の逆転を阻止するストッパー３１を備えたものである。ストッパー３１はブラケット５に固定されている。爪車３０には巻棒３７を支持軸３５に平行に保持している。巻棒３７に昇降索３の先端部を係着している。
【００２２】
しかして、支持軸３５に形成した操作溝３８にドライバーのような工具を挿入して支持軸３５を図８の矢印イ方向に回転させることで、爪車３０がストッパー３１に当接して長孔３６の範囲内で支持軸３５が下降しながら回転をしてベルト２７を巻棒３７と支持軸３５とに巻き取ってベルト２７の長さ調整をおこなうものである。
【００２３】
図９乃至図１２は更に他の参考例を示す。本参考例の基本構成は上記実施の形態と共通であり、共通する部分には同一の符号を付して説明は省略する。
【００２４】
本参考例の長さ調整手段６は、ベルト２７の経路に進入してベルト２７に当接する箇所において半径を異ならせた偏心軸１０を設け、偏心軸１０の回転位置を変更可能に構成したものである。具体的には、ベルト２７の先端部を固定した固定軸３９に達するベルト２７の経路に偏心して半径を異ならせた偏心軸１０を配し、偏心軸１０の一端を円形部４０に、他端を角形部４１に形成して、ブラケット５の角孔４２に角形部４１を挿入し、別部材となってビス４４にて着脱し、かつ、丸孔を備えた軸受４３によって偏心軸１０を９０度単位に回転位置を変更してベルト２７に対して干渉する半径を異ならせてベルト２７の長さを変更可能にしたものである。ところで、偏心軸１０の偏心部分４５も角形に形成されているが、丸形でもよい。
【００２５】
しかして、偏心軸１０の回転位置を変更することで、昇降索３に対して干渉する半径を変更することができ、昇降索３の長さを変更することができ、長さ調整を、一層、容易におこなうことができるものである。
【００２６】
図１３乃至図１８には本発明の他の実施の形態を示し、但し、本実施の形態の基本構成は上記実施の形態と共通であり、共通する部分には同一の符号を付して説明は省略する。
【００２７】
本発明の実施の形態においては、棚部２を吊持する昇降索３をベルト２７で構成し、上記ベルト２７を長さ調節手段６を介して棚部２に連結させているものである。本例では上記長さ調整手段６は、上記ベルト２７の先端部を先の実施の形態の各例における棒状体７に替えて板状体５０に固定し、上記板状体５０の所定位置に板状体５０を上下に貫通するねじ孔５１を形成し、ブラケット５に回転自在に保持されると共にブラケット５の上下に亘って配置されたねじ具９を上記ねじ孔５１に螺合し、板状体５０をブラケット５に昇降自在に支持したものである。
【００２８】
この板状体５０は、図１７に示すように左右方向Ｄにおいて線対称形状を有する扁平板状体であり、この板状体５０には上記ねじ孔５１及びベルト挿通孔５２が形成されている。上記ねじ孔５１は板状体５０を上下に穿設すると共に孔内面にねじ切りを施したものである。このねじ孔５１は扁平金板をプレス成形して形成した板状体５０の上記プレス成形時にバーリング加工を伴って成形されるものであって、これにより、ねじ孔５１の周縁部が上記ねじ孔５１のねじ長さを長くするようなフランジ部５１ａを形成してねじ孔５１のねじ切りを施す孔内面を上下に長く形成できるものであり、ねじ孔５１とねじ具９との螺合強度を向上させて棚部２への食器等の積載許容重量を向上させることができるものである。
【００２９】
また、ベルト挿通孔５２は板状体５０の左右方向Ｄに長手形状を有した矩形状孔であり、ベルト２７が上方から挿通されるものである。ここで、上記ベルト２７はベルト面２７ａの幅方向Ｃを上記ベルト挿通孔５２の長手方向に合わせて挿通されるものであり、つまり、ベルト面２７ａの幅方向Ｃと板状体５０の左右方向Ｄとは同様の方向を指すものである。上記ベルト挿通孔５２を挿通したベルト２７の先端部分は上方に折り返されてループ部２７ｂを形成し、上記ループ部２７ｂの内部に板状体５０を係止させるベルト固定軸５３を水平に配置し、上記ベルト固定軸５３を板状体５０の下面のベルト挿通孔５２の周縁部分に係止させてベルト２７の先端を板状体５０に固定させているものである。なお、図１８にはベルト固定軸５３の側面図を示してある。
【００３０】
上述したように、昇降索３としてのベルト２７を固定した板状体５０は、板状体５０の所定位置に設けたねじ孔５１にねじ具９を螺合させてブラケット５に昇降自在に支持されるものであるが、ここで、本例は、上記ねじ孔５１を設ける板状体５０の所定位置に特徴を有するものであり、ねじ孔５１は板状体５０のうち、上記ベルト２７のベルト面２７ａの幅方向中央部を通ると共に上記ベルト面２７ａに対して直交する方向にあたる板状体５０の所定位置に設けられている。これにより、１本のねじ具９を板状体５０の上記所定位置に穿設したねじ孔５１に螺合させて板状体５０をブラケット５に保持させても、上記板状体５０をその板状体５０に固定したベルト２７のベルト面２７ａの幅方向Ｃにおいてバランスよくブラケット５に昇降自在に支持させることができ、棚部２を吊持するベルト２７はベルト面２７ａの幅方向Ｃにおいてたるむことなくベルト２７の断面に亘って均一に張力を働かせて棚部２の重量を支えることができて、ベルト２７や昇降機構部１３等の一部分に荷重を集中させることなく昇降棚装置Ａの安定動作を図ることができるものである。また、ベルト２７の長さ調節を行う際にはねじ具９を回動させてブラケット５の上下片３２，３３間の板状体５０の配置位置を設定することで行われるものであるが、上述したようにブラケット５に対する板状体５０の上下位置決めは、ベルト２７のベルト面２７ａの幅方向Ｃへのたるみが形成されたりする支障もなく１本のねじ具９の回動によって行うことができ、ブラケット５に対する板状体５０の上下位置決め、つまり、昇降索３としてのベルト２７の長さの変更を、更に容易に行うことができるものである。
【００３１】
ここで本例では、上記ねじ具９としては先の実施の形態の例と同様にブラケット５の上下片３２、３３に回転自在に取付けられると共に上記ブラケット５の上下片３２，３３の間に亘って配置された調整ねじ３４が用いられるものであるが、上記調整ねじ３４の頭部３４ａをブラケット５の下片３３の下方に位置させると共に抜け防止のキャップ３４ｂを上片３２の上方に位置させ、上記頭部３４ａとキャップ３４ｂとで挟むブラケット５との間に適度な隙間４８を介して上記調整ねじ３４をブラケット５に対して多少上下に移動可能に配置しているものである。通常、図１４に示すように、棚部２を吊持するベルト２７の張力により上方に付勢される板状体５０と棚部２から連設して下方に荷重を働かせるブラケット５によって上記調整ねじ３４の頭部３４ａはブラケット５の下片３３を上方に吊持するように当接し、上記隙間４８はキャップ３４ｂと上片３２との間に位置されるものである。このように、上記調整ねじ３４をブラケット５の間に隙間４８を介して配置したことにより、ブラケット５に対する調整ねじ３４の回動がスムーズに行われるものであり、また、調整ねじ３４の頭部３４をブラケット５の下片３３の下方に位置させていることにより、上記調整ねじ３４の回動は下方から操作できるものであって、天袋等に設置されることの多い昇降棚装置Ａの設置後にベルト２７の長さ調整、つまり、棚部２の傾き調整を行い易くしているものである。
【００３２】
また、本例では上記板状体５０の側端面５０ａをブラケット５の上下片３２，３３の間の立ち上がり片４６に沿わせるように上記側端面５０ａと立ち上がり片４６との間に適度な隙間４７を設けて上記板状体５０をブラケット５に昇降自在に配置しているものであり、これにより、食器等の棚部２への積載の際に起きる棚部２の重心移動等によって板状体５０にモーメントが発生した場合においても、上記モーメントによる板状体５０の回動を規制できるようにしているものである。
【００３３】
【発明の効果】
請求項１においては、下方が開放された外部ケースに対して棚部を格納位置に上昇及び物品取出し・収納位置に下降自在に設け、外部ケース側に昇降索を巻き取り及び繰り出す巻き取りドラムを備えた昇降手段を取付け、昇降索を棚部に連結した昇降棚装置であって、棚部に上下に対向する上片と下片とを有したブラケットを固定し、ブラケットの上下片の間に亙るようにねじ具を上下に移動しない状態で回転自在に保持し、昇降索の先端部を固定した棒状体にねじ孔を形成し、ねじ孔にねじ具をねじ込んで棒状体をブラケットの上下片の間に配置したことから、棚部側で昇降索の長さ調整をおこなうことができ、従来のように外部ケース側の昇降手段の位置を変更しなくてもよく、昇降索の長さの変更を簡単におこなうことができるという利点がある。また、ねじ具の回転によって棒状体を昇降させて昇降索の長さを調整することができ、昇降索の長さの調整を、一層、容易におこなうことができるという利点がある。
【００３４】
請求項２においては、請求項１の構成に加えて、上記棒状体の長手方向の中央部に昇降索の先端部を固定し、この棒状体の長手方向両端部にねじ孔をそれぞれ穿孔し、ブラケットの上下片の間に亙るように一対のねじ具を上下に移動しない状態で回転自在に保持し、各ねじ具を対応する各ねじ孔にねじ込んでブラケットの上下片の間に棒状体を配置したことから、請求項１の効果に加えて、棒状体の長手方向両端部で昇降索の長さを調整することができる。
【００３５】
請求項３においては、下方が開放された外部ケースに対して棚部を格納位置に上昇及び物品取出し・収納位置に下降自在に設け、外部ケース側に昇降索を巻き取り及び繰り出す巻き取りドラムを備えた昇降手段を取付け、昇降索を棚部に連結した昇降棚装置であって、棚部に上下に対向する上片と下片とを有したブラケットを固定し、ブラケットの上下片の間に亙るようにねじ具を上下に移動しない状態で回転自在に保持し、昇降索の先端部を固定した板状体にねじ孔を形成し、ねじ孔にねじ具をねじ込んで板状体をブラケットの上下片の間に配置したことから、棚部側で昇降索の長さ調整をおこなうことができ、従来のように外部ケース側の昇降手段の位置を変更しなくてもよく、昇降索の長さの変更を簡単におこなうことができるという利点がある。また、ねじ具の回転によって板状体を昇降させて昇降索の長さを調整することができ、昇降索の長さの調整を、一層、容易におこなうことができるという利点がある。
【００３６】
請求項４においては、請求項３の構成に加えて、上記板状体にベルトで構成した昇降索の先端を固定し、上記ベルトのベルト面の幅方向中央部を通って上記ベルト面に対して直交する方向にあたる板状体の所定位置にねじ孔を１つ上下に貫通し、１本のねじ具をブラケットの上下片の間に亙るように上下に移動しない状態で回転自在に保持し、ねじ孔にねじ具をねじ込んで板状体をブラケットの上下片の間に配置したことから、請求項３の効果に加えて、１本のねじ具を板状体の上記所定位置に穿設したねじ孔に螺合させて板状体をブラケットに保持させても、上記板状体をその板状体に固定したベルトのベルト面の幅方向においてバランスよくブラケットに昇降自在に支持させることができ、棚部を吊持するベルトはベルト面の幅方向においてたるむことなくベルトの断面に亘って均一に張力を働かせて棚部の重量を支えることができて、ベルトによる棚部の吊持の安定を図ることができるものであって、また、ベルトの長さ調節を行う際にはねじ具を回動させてブラケットに対する板状体の上下位置を決めることで行われるものであるが、上述したようにブラケットに対する板状体の上下位置決めは、ベルトのベルト面の幅方向へのたるみを形成させたりする支障なく１本のねじ具の回動によって行うことができ、ブラケットに対する板状体の上下位置決め、つまり、昇降索としてのベルトの長さの変更を、更に一層容易に行うことができるという利点がある。
【００３７】
請求項５においては、請求項４の構成に加えて、上記ねじ具の頭部をブラケットの下片の下方に位置させたことから、請求項４の効果に加えて、ねじ具の回動を下方からの操作で行えるのであって、天袋等に設置されることの多い昇降棚装置の設置後にベルトの長さ調整、つまり、棚部の傾き調整を行い易くできるという利点がある。
【図面の簡単な説明】
【図１】本発明の実施の一形態の概略正断面図である。
【図２】（ａ）は同上の概略側面図、（ｂ）は概略平面図である。
【図３】同上の全体概略正面図である。
【図４】同上の概略側断面図である。
【図５】同上の概略側断面図である。
【図６】同上の概略横断面図である。
【図７】同上の他の実施の形態を示し、（ａ）は正面図、（ｂ）は側面図、（ｃ）は拡大側面図である。
【図８】（ａ）（ｂ）（ｃ）は同上の作用を示す説明図である。
【図９】同上の他の実施の形態の正面図である。
【図１０】同上の側面図である。
【図１１】（ａ）は同上の平面図、（ｂ）は側面図である。
【図１２】（ａ）は偏心軸の平面図、（ｂ）（ｃ）は側面図である。
【図１３】同上の他の実施の形態の全体概略正面図である。
【図１４】同上の正面図である。
【図１５】同上の側面図である。
【図１６】同上の平面図である。
【図１７】同上の板状体を示すものであり、（ａ）は平面図、（ｂ）は（ａ）のＢ−Ｂ線断面図である。
【図１８】同上のベルト固定軸の側面図である。
【符号の説明】
１    外部ケース
２    棚部
３    昇降索
４    昇降手段
５    ブラケット
６    長さ調整手段
７    棒状体
８    ねじ孔
９    ねじ具
１０  偏心軸
１１  巻き取りドラム
【図１】
0003596469.tif 000002
【図２】
0003596469.tif 000003
【図３】
0003596469.tif 000004
【図４】
0003596469.tif 000005
【図５】
0003596469.tif 000006
【図６】
0003596469.tif 000007
【図７】
0003596469.tif 000008
【図８】
0003596469.tif 000009
【図９】
0003596469.tif 000010
【図１０】
0003596469.tif 000011
【図１１】
0003596469.tif 000012
【図１２】
0003596469.tif 000013
【図１３】
0003596469.tif 000014
【図１４】
0003596469.tif 000015
【図１５】
0003596469.tif 000016
【図１６】
0003596469.tif 000017
【図１７】
0003596469.tif 000018
【図１８】
0003596469.tif 000019